(57)【特許請求の範囲】
【請求項１】
操作部を前面に有すると共に脚部を有するディスペンサを取付パネルのパネル開口部に設けるためのディスペンサ取付部であって、
前記取付パネルの前記パネル開口部に設けられる枠部材と、
上部押え部材と、
側部押え部材と
を備え、
前記枠部材は、
前記ディスペンサの前記脚部が挿入可能な穴部をもつ支持部材と、
前記ディスペンサが挿入可能であるように前記ディスペンサの上下方向の高さ及び側方の幅よりも大きい高さ及び幅をもつ枠開口部と
を有し、
前記上部押え部材は、前記ディスペンサの前面側と反対側の前記取付パネルの後面側で且つ前記パネル開口部の上方側で上下方向にスライド可能に設けられ、前記ディスペンサの上部に当接させて固定されることで前記ディスペンサの上方への移動を阻止し、
前記側部押え部材は、前記取付パネルの後面側で且つ前記パネル開口部の側方側で側方にスライド可能に設けられ、前記ディスペンサの側部に当接させて固定されることで前記ディスペンサの側方への移動を阻止するディスペンサ取付部。
【請求項２】
前記ディスペンサの下部と前記パネル開口部との間の間隙を塞ぐ下部閉塞部材をさらに備え、
前記上部押え部材は、前記ディスペンサの上部と前記パネル開口部との間の間隙を塞ぎ、
前記側部押え部材は、前記ディスペンサの側部と前記パネル開口部との間の間隙を塞ぐ請求項１に記載のディスペンサ取付部。
【発明の詳細な説明】
【技術分野】
【０００１】
この発明は、ディスペンサ取付部に関する。
【背景技術】
【０００２】
ディスペンサには、利用者に茶やコーヒー等の飲料を提供する飲料ディスペンサがある。
例えば、特許文献１には、飲用水と飲料原料とから飲料を生成する飲料ディスペンサが記載されている。この飲料ディスペンサは、前方側に設けられている扉の前面に開口した注出用凹部を有し、さらに、注出用凹部の天井面に注出口を有しており、注出用凹部の底部にすのこ状のコップ受け台を有している。そして、飲料ディスペンサは、利用者が扉前面の操作スイッチを操作することによって、利用者によって選択された飲料を生成し、生成した飲料を、コップ受け台上に置かれたコップ等に注出口から提供する。
【０００３】
また、特許文献１の飲料ディスペンサは、テーブルに載せて使用することができ、その底部には、飲料ディスペンサを支持するための脚を有している。さらに、この飲料ディスペンサには、飲用水すなわち水道水を供給するための給水ホースが接続されると共に、コップ受け台にこぼれた飲料や内部に貯留した飲用水を排水するための排水ホースが接続されている。
【０００４】
このような飲料ディスペンサを複数台設置する場合、給水ホース及び排水ホースをそのまま室内に配置すると、利用者に煩雑な印象を与える。このような煩雑な印象を与えないようにするため、室内の壁とは別個に壁パネルを設けて、壁パネルと室内の壁との間に空間を形成し、そして、この壁パネルに飲料ディスペンサを埋め込むようにして設置し、給水ホース及び排水ホースを壁パネルと室内の壁との間の空間に配置して利用者に見えないようにする。
【０００５】
ここで、図９を参照すると、壁パネル２００に飲料ディスペンサ１０を設置した状況を斜め後方から見た斜視図が示されている。壁パネル２００には設置台１００が設けられており、設置台１００の上部において、壁パネル２００にパネル開口部２００ａが形成されている。さらに、パネル開口部２００ａの内側に沿って、矩形状の枠をなす化粧フレーム１３１が取り付けられている。化粧フレーム１３１はその内側に、飲料ディスペンサ１０における本体１１の前面部の輪郭に整合する開口部１３１ｈを形成している。そして、飲料ディスペンサ１０は、本体１１の前面部を開口部１３１ｈに嵌め込む、すなわちビルトインするようにして、設置台１００の上に設けられる。また、飲料ディスペンサ１０は、本体１１の底部に複数の脚６１を有している。脚６１は、雄ねじが形成された軸を有し、この軸を本体１１に螺合させており、脚６１を回転させることによって伸縮するようになっている。
【０００６】
そして、飲料ディスペンサ１０は、脚６１を伸縮させることにより、本体１１の前面部の高さを化粧フレーム１３１の開口部１３１ｈの高さに合わせると共に本体１１を水平にし、その状態で壁パネル２００の裏側から本体１１の前面部を開口部１３１ｈに嵌め込むようにして、壁パネル２００に取り付けられる。
【先行技術文献】
【特許文献】
【０００７】
【特許文献１】特開２００１−２７８３９３号公報
【発明の概要】
【発明が解決しようとする課題】
【０００８】
しかしながら、特許文献１の飲料ディスペンサ１０を壁パネル２００にビルトインさせて設置するには、複数の脚６１を伸縮させて本体１１の高さ及び水平を調節して位置決めする必要があるため、設置に手間を要するという問題がある。さらに、この飲料ディスペンサ１０は、設置台１００の上に置かれているだけなので、利用者が本体１１の扉前面の操作スイッチを操作した際に、飲料ディスペンサ１０全体が後方にずれることがある。このため、飲料ディスペンサ１０の後方への移動を防止するために、脚６１を設置台１００に固定する必要があり、設置にさらに手間を要するという問題がある。
【０００９】
この発明はこのような問題点を解決するためになされたものであり、ディスペンサの所定位置への位置決めを容易にすると共に所定位置での固定を容易にするディスペンサ取付部を提供することを目的とする。
【課題を解決するための手段】
【００１０】
上記の課題を解決するために、この発明に係るディスペンサ取付部は、操作部を前面に有すると共に脚部を有するディスペンサを取付パネルのパネル開口部に設けるためのディスペンサ取付部であって、取付パネルのパネル開口部に設けられる枠部材と、上部押え部材と、側部押え部材とを備え、枠部材は、ディスペンサの脚部が挿入可能な穴部をもつ支持部材と、ディスペンサが挿入可能であるようにディスペンサの上下方向の高さ及び側方の幅よりも大きい高さ及び幅をもつ枠開口部とを有し、上部押え部材は、ディスペンサの前面側と反対側の取付パネルの後面側で且つパネル開口部の上方側で上下方向にスライド可能に設けられ、ディスペンサの上部に当接させて固定されることでディスペンサの上方への移動を阻止し、側部押え部材は、取付パネルの後面側で且つパネル開口部の側方側で側方にスライド可能に設けられ、ディスペンサの側部に当接させて固定されることでディスペンサの側方への移動を阻止するものである。
上記ディスペンサ取付部は、ディスペンサの下部とパネル開口部との間の間隙を塞ぐ下部閉塞部材をさらに備え、上部押え部材は、ディスペンサの上部とパネル開口部との間の間隙を塞ぎ、側部押え部材は、ディスペンサの側部とパネル開口部との間の間隙を塞いでもよい。
【発明の効果】
【００１１】
この発明に係るディスペンサ取付部によれば、ディスペンサの所定位置への位置決めを容易にすると共に所定位置での固定を容易にすることが可能になる。
【図面の簡単な説明】
【００１２】
【図１】この発明の実施の形態に係るディスペンサ取付部に設けられる飲料ディスペンサを示す、斜め前方から見た全体斜視図である。
【図２】この発明の実施の形態に係るディスペンサ取付部による飲料ディスペンサの壁パネルへの設置状況を斜め前方から見た斜視図である。
【図３】化粧フレームの壁パネルへの取付構成を示す、斜め前方から見た斜視図である。
【図４】化粧フレームの構成を示す、斜め前方から見た斜視図である。
【図５】飲料ディスペンサの化粧フレームへの設置状況を斜め前方から見た斜視図である。
【図６】飲料ディスペンサの脚部の化粧フレームへの設置状況を斜め前方から見た斜視図である。
【図７】押え部材の壁パネルへの取付構成を示す、斜め後方から見た斜視図である。
【図８】下部フレームの化粧フレームへの取付構成を示す、斜め前方から見た斜視図である。
【図９】従来のディスペンサ取付部による飲料ディスペンサの壁パネルへの設置状況を斜め後方から見た斜視図である。
【発明を実施するための形態】
【００１３】
以下、この発明の実施の形態について添付図面に基づいて説明する。
実施の形態
図１〜８を用いて、この発明の実施の形態に係るディスペンサ取付部１０１及びその周辺の構成を説明する。
【００１４】
まず、ディスペンサ取付部１０１に設けられる飲料ディスペンサ１の全体構成を説明する。なお、本実施の形態では、ディスペンサ取付部１０１に設けられるディスペンサは飲料ディスペンサ１とし、飲料ディスペンサ１は、粉末原料を冷水又は湯と混合し、利用者に冷飲料又は温飲料を提供するものとする。
【００１５】
図１を参照すると、飲料ディスペンサ１の全体斜視図が示されている。
飲料ディスペンサ１は、略直方体状の形状を有する本体２を備えている。本体２は、開閉可能な扉４をその前部に有し、利用者に飲料を提供する空間である飲料注出部３を扉４の前面に有している。
扉４には、利用者が提供を受ける飲料を選択しその飲料を注出させるための操作部５が設けられている。そして、本体２の底部には、その隅部付近に本体２を支持するための脚部６が４つ設けられている。脚部６は、飲料ディスペンサ１を設置する面に当接する支持部６ａと、支持部６ａに一体に連結された軸であるねじ部６ｂとを有している。そして、ねじ部６ｂは本体２の底部に螺合しており、支持部６ａと共にねじ部６ｂを回転させることにより、ねじ部６ｂが本体２に対して伸張又は収縮する。すなわち、支持部６ａを回転させることにより、脚部６は、伸張又は収縮する。
【００１６】
ここで、説明の便宜上、紙面上で下から上に向かう方向を上方向Ａ、紙面上で上から下に向かう方向を下方向Ｂとし、扉４から本体２における扉４に対向する面に向かう方向を後方向Ｆ、後方向Ｆと反対の方向を前方向Ｅとする。さらに、扉４から後方向Ｆに向かって見て、右から左に向かう方向を左方向Ｃ、左から右に向かう方向を右方向Ｄとする。
【００１７】
また、飲料ディスペンサ１には、本体２の内部に、図示されていないが、冷水を生成するための冷凍回路及び生成した冷水を貯留する冷水タンク、並びに、湯を生成するためのヒータ及び生成した湯を貯留する貯湯タンクが設けられおり、さらに、冷水又は湯と粉末原料とを混合するミキシング機構が設けられている。
そして、利用者が、扉４の操作部５を操作して飲料を選択することにより、ミキシング機構に冷水又は湯が供給されると共に粉末原料が供給されて、ミキシング機構で飲料が生成され、飲料注出部３において選択された飲料が注出される。
【００１８】
また、図２を参照すると、飲料ディスペンサ１は、設置台１００が取り付けられた壁材等の壁パネル２００に埋め込まれる、すなわちビルトインされて、設置される。そして、ディスペンサ取付部１０１によって、飲料ディスペンサ１は壁パネル２００に対して設置・固定される。
ここで、壁パネル２００は、取付パネルを構成している。
【００１９】
次に、飲料ディスペンサ１を壁パネル２００にビルトインさせて設置するための、ディスペンサ取付部１０１の構成を説明する。
図３を参照すると、壁パネル２００は、板状の形状を有して鉛直方向に平行に設けられており、設置台１００は、その上面１００ａが水平になるように設けられている。壁パネル２００には、設置台１００の上面１００ａに隣接して、矩形状をしたパネル開口部２００ａが形成されている。すなわち、パネル開口部２００ａの下部は、設置台１００の上面１００ａによって形成されている。
そして、ディスペンサ取付部１０１は、壁パネル２００のパネル開口部２００ａに取り付けられる、矩形状の枠の形態をなす化粧フレーム１３を有している。
ここで、化粧フレーム１３は、枠部材を構成している。
【００２０】
図４を参照すると、化粧フレーム１３の詳細な構成が示されている。
化粧フレーム１３は、左方向Ｃ側で上下方向すなわち鉛直方向に延びる左フレーム１３ｃと、右方向Ｄ側で上下方向すなわち鉛直方向に延びる右フレーム１３ｄと、左フレーム１３ｃ及び右フレーム１３ｄをそれらの上部で連結し且つ左右方向すなわち水平方向に延びる上フレーム１３ａと、左フレーム１３ｃ及び右フレーム１３ｄをそれらの下部で連結し且つ左右方向すなわち水平方向に延びる下フレーム１３ｂとを有している。
【００２１】
左フレーム１３ｃ及び右フレーム１３ｄはそれぞれ、ステンレス製のアングル材等のＬ字状の断面形状を有する金属製部材によって形成されている。そして、左フレーム１３ｃ及び右フレーム１３ｄはそれぞれ、外側表面１３ｃ１及び外側表面１３ｄ１を前方向Ｅに向け、外側表面１３ｃ１及び外側表面１３ｄ１のそれぞれに隣接する外側表面１３ｃ２及び外側表面１３ｄ２を互いに対向させるようにして、配置されている。
また、左フレーム１３ｃには、外側表面１３ｃ２からその裏面に部材を貫通する２つの貫通穴１３ｃａが形成されている。そして、右フレーム１３ｄにも、外側表面１３ｄ２からその裏面に部材を貫通する２つの貫通穴１３ｄａが形成されている。
【００２２】
上フレーム１３ａは、アングル材等からなる略Ｌ字状の断面形状を有する金属製部材によって形成され、左フレーム１３ｃ及び右フレーム１３ｄと同様の材料が使用されている。そして、上フレーム１３ａは、その外側表面１３ａ１が、鉛直方向を平行になるようにして前方向Ｅに向けて配置され、外側表面１３ａ１に隣接する外側表面１３ａ２が、下方向Ｂに向けて配置され、左フレーム１３ｃの上端及び右フレーム１３ｄの上端に、溶接等で接合されている。
【００２３】
下フレーム１３ｂは、板状の形状を有しており、左フレーム１３ｃ及び右フレーム１３ｄと同様の材料で形成されている。そして、下フレーム１３ｂは、その上面１３ｂ１が水平になるように配置され、その両側面１３ｂ３及び１３ｂ４が、左フレーム１３ｃの外側表面１３ｃ２の下端及び右フレーム１３ｄの外側表面１３ｄ２の下端に、溶接等で接合されている。さらに、下フレーム１３ｂにおいて、その上面１３ｂ１には、２つの円形をした凹部１３ｂｃ及び１３ｂｄが形成されている。なお、本実施の形態では、凹部１３ｂｃ及び１３ｂｄは、下フレーム１３ｂを貫通していないが、下フレーム１３ｂを貫通する穴であってもよい。
ここで、凹部１３ｂｃ及び１３ｂｄは、穴部を構成している。
よって、化粧フレーム１３では、上フレーム１３ａ、右フレーム１３ｄ、下フレーム１３ｂ、及び左フレーム１３ｃによって、矩形状の枠が形成され、その内側に開口部１３ｈが形成されている。なお、開口部１３ｈは、飲料ディスペンサ１（図２参照）の上下方向の高さ及び左右方向の幅より大きい高さ及び幅を有している。
【００２４】
図３に戻り、化粧フレーム１３は、下フレーム１３ｂを設置台１００の上面１００ａに当接させ、左フレーム１３ｃ及び右フレーム１３ｄをそれぞれ壁パネル２００のパネル開口部２００ａの側部内側に係合させ、上フレーム１３ａにおける外側表面１３ａ１の裏側の内側表面１３ａ３を壁パネル２００の前面２００ｅに当接させるようにして、パネル開口部２００ａに嵌め込まれる。
また、壁パネル２００のパネル開口部２００ａにおける左右側部の内側側面にはそれぞれ、左フレーム１３ｃの２つの貫通穴１３ｃａのそれぞれと整合する位置に、内側に雌ねじを有する２つのねじ穴２００ａｃが形成されており、右フレーム１３ｄの２つの貫通穴１３ｄａのそれぞれと整合する位置に、内側に雌ねじを有する２つのねじ穴２００ａｄが形成されている。
【００２５】
そして、ねじ等の締結具１４が、左フレーム１３ｃの貫通穴１３ｃａ及びねじ穴２００ａｃ、並びに、右フレーム１３ｄの貫通穴１３ｄａ及びねじ穴２００ａｄにそれぞれ挿入されて、締め込まれる。よって、締結具１４により、左フレーム１３ｃ及び右フレーム１３ｄが、壁パネル２００のパネル開口部２００ａに固定され、それによって、化粧フレーム１３が、パネル開口部２００ａに固定される。
【００２６】
このとき、壁パネル２００のパネル開口部２００ａ内側の断面部分を覆い、且つパネル開口部２００ａを縁取るようにして、ステンレス製の化粧フレーム１３が設けられているため、飲料ディスペンサ１（図２参照）の利用者には、化粧フレーム１３が壁パネル２００と一体となり、パネル開口部２００ａが整然としてすっきりしている印象が与えられる。なお、化粧フレーム１３は、壁パネル２００の前面２００ｅと同様の外観を有するように塗装してもよい。これによって、化粧フレーム１３が壁パネル２００とさらに一体であるような印象を、飲料ディスペンサ１の利用者に与える。
そして、壁パネル２００に取り付けられた化粧フレーム１３に対して、飲料ディスペンサ１が設置される。
【００２７】
図５を参照すると、飲料ディスペンサ１の化粧フレーム１３への設置状況が示されている。
飲料ディスペンサ１は、壁パネル２００の後面２００ｆ側から、扉４を化粧フレーム１３の開口部１３ｈに挿入するようにして、設置台１００の上面１００ａ上に配置される。
さらに、図６を参照すると、化粧フレーム１３の下フレーム１３ｂの凹部１３ｂｃ及び１３ｂｄは、飲料ディスペンサ１における扉４側の２つの脚部６のそれぞれと位置が合うような位置に形成され、脚部６の支持部６ａが嵌る形状及び大きさで形成されている。
そして、飲料ディスペンサ１を設置台１００の上面１００ａ上に配置する際、脚部６が化粧フレーム１３の下フレーム１３ｂを乗り越えるようにして飲料ディスペンサ１が開口部１３ｈに挿入されて、脚部６の支持部６ａが化粧フレーム１３の凹部１３ｂｃ及び１３ｂｄのそれぞれに挿入される。これにより、飲料ディスペンサ１は、脚部６すなわち下部において、前後方向及び左右方向、すなわち水平方向に拘束される。なお、開口部１３ｈは、飲料ディスペンサ１が下フレーム１３ｂを乗り越えるようにして開口部１３ｈに挿入される際に、上フレーム１３ａ（図５参照）につかえないような高さを有している。
ここで、下フレーム１３ｂは、支持部材を構成している。
【００２８】
さらに、図７を参照すると、化粧フレーム１３すなわち壁パネル２００に設置された飲料ディスペンサ１は、本体２を水平にするために、後方向Ｆ側の２つの脚部６の長さが、支持部６ａを回転させてねじ部６ｂを伸張させることによって、調節される。これにより、化粧フレーム１３（図５参照）すなわち壁パネル２００に対する、飲料ディスペンサ１の設置及び位置決めが完了する。
【００２９】
そして、壁パネル２００に設置された飲料ディスペンサ１には、その移動を防止するために、さらに固定が行われる。
ディスペンサ取付部１０１は、上部押え部材１５、左側部押え部材１６及び右側部押え部材１７を有している。上部押え部材１５は、飲料ディスペンサ１の上方向Ａの移動を制限するために、壁パネル２００の後面２００ｆに取り付けられ、左側部押え部材１６及び右側部押え部材１７はそれぞれ、飲料ディスペンサ１の本体２の左方向Ｃ及び右方向Ｄの移動を制限するために、壁パネル２００の後面２００ｆに取り付けられる。
ここで、上部押え部材１５は上部押え部材を構成し、左側部押え部材１６及び右側部押え部材１７は側部押え部材を構成している。
【００３０】
上部押え部材１５は、Ｌ字状の断面形状を有する板状部材であり、本実施の形態では、金属製である。そして、上部押え部材１５は、その外側表面１５ａ１を前方向Ｅに向けて壁パネル２００の後面２００ｆに当接させ、外側表面１５ａ１に隣接する外側表面１５ａ２を下方向Ｂに向けて飲料ディスペンサ１の本体２の上面２ａに当接させて、取り付けられる。
また、上部押え部材１５において、外側表面１５ａ１からその裏面に部材を貫通する長穴１５ｂが、上部押え部材１５の左右方向両端付近に形成されている。なお、長穴１５ｂは、上下方向に長くなっている。
【００３１】
さらに、壁パネル２００の後面２００ｆには、上部押え部材１５の２つの長穴１５ｂのそれぞれと整合する位置に、内側に雌ねじを有するねじ穴２００ｆａが形成されている。
そして、ねじ等の締結具１８が、上部押え部材１５の長穴１５ｂ及びねじ穴２００ｆａにそれぞれ挿入されて、締め込まれることによって、上部押え部材１５が壁パネル２００に固定される。
なお、飲料ディスペンサ１の本体２の位置が、化粧フレーム１３の開口部１３ｈにおける所定の位置から上下方向にずれていても、長穴１５ｂに締結具１８が通された上部押え部材１５は、上下方向にスライド可能であるため、外側表面１５ａ２を飲料ディスペンサ１の本体２の上面２ａに当接させて固定することができる。
これによって、上部押え部材１５が、飲料ディスペンサ１の本体２を上方向Ａに移動しないように固定する。このとき、上部押え部材１５は、飲料ディスペンサ１の上部とパネル開口部２００ａ（図３参照）すなわち化粧フレーム１３の開口部１３ｈとの間にできる間隙を塞いでいる。
【００３２】
右側部押え部材１７は、Ｌ字状の断面形状を有する板状部材であり、本実施の形態では、金属製である。そして、右側部押え部材１７は、その外側表面１７ａ１を前方向Ｅに向けて壁パネル２００の後面２００ｆに当接させ、外側表面１７ａ１に隣接する外側表面１７ａ２を左方向Ｃに向けて飲料ディスペンサ１の本体２の右面２ｄに当接させて、取り付けられる。
また、右側部押え部材１７には、外側表面１７ａ１からその裏面に部材を貫通する長穴１７ｂが、３つ形成されている。なお、長穴１７ｂは、左右方向に長くなっている。
【００３３】
さらに、壁パネル２００の後面２００ｆには、右側部押え部材１７の３つの長穴１７ｂのそれぞれと整合する位置に、内側に雌ねじを有するねじ穴２００ｆｄが形成されている。
そして、ねじ等の締結具１８が、右側部押え部材１７の長穴１７ｂ及びねじ穴２００ｆｄにそれぞれ挿入されて、締め込まれることによって、右側部押え部材１７が壁パネル２００に固定される。
なお、飲料ディスペンサ１の本体２の位置が、化粧フレーム１３の開口部１３ｈにおける所定の位置から左右方向にずれていても、長穴１７ｂに締結具１８が通された右側部押え部材１７は、左右方向にスライド可能であるため、外側表面１７ａ２を飲料ディスペンサ１の本体２の右面２ｄに当接させて固定することができる。
これによって、右側部押え部材１７が、飲料ディスペンサ１の本体２を右方向Ｄに移動しないように固定する。このとき、右側部押え部材１７は、飲料ディスペンサ１の右方向Ｄ側の側部とパネル開口部２００ａ（図３参照）すなわち化粧フレーム１３の開口部１３ｈとの間にできる間隙を塞いでいる。
【００３４】
また、左側部押え部材１６は、右側部押え部材１７と同様の構成を有している。
そして、左側部押え部材１６は、その外側表面１６ａ１を壁パネル２００の後面２００ｆに当接させ、外側表面１６ａ２を飲料ディスペンサ１の本体２の左面２ｃに当接させ、左側部押え部材１６の長穴１６ｂ及び壁パネル２００のねじ穴２００ｆｃにそれぞれ締結具１８が挿入されて締め込まれることによって、壁パネル２００に固定される。これによって、左側部押え部材１６が、飲料ディスペンサ１の本体２を左方向Ｃに移動しないように固定する。このとき、左側部押え部材１６は、飲料ディスペンサ１の左方向Ｃ側の側部とパネル開口部２００ａ（図３参照）すなわち化粧フレーム１３の開口部１３ｈとの間にできる間隙を塞いでいる。
【００３５】
従って、上部押え部材１５、左側部押え部材１６及び右側部押え部材１７を壁パネル２００の後面２００ｆに取付・固定することによって、飲料ディスペンサ１は、本体２が上下方向及び左右方向に固定されると共に、飲料ディスペンサ１の上部及び左右側部におけるパネル開口部２００ａ（図３参照）すなわち化粧フレーム１３の開口部１３ｈとの間隙が塞がれる。そして、前方向Ｅ側から壁パネル２００、化粧フレーム１３及び飲料ディスペンサ１を利用者が見たとき、飲料ディスペンサ１が化粧フレーム１３と一体になっているように見え、すっきりした印象が与えられる。
【００３６】
さらに、図８を参照すると、上部押え部材１５、左側部押え部材１６及び右側部押え部材１７（図７参照）によって固定された飲料ディスペンサ１は、扉４と、設置台１００の上面１００ａすなわちパネル開口部２００ａの下部との間に間隙を有しており、この間隙が塞がされる。
ディスペンサ取付部１０１は、下部フレーム１９を有しており、下部フレーム１９は、飲料ディスペンサ１の扉４と設置台１００の上面１００ａとの間に間隙に挿入される。
ここで、下部フレーム１９は、下部閉塞部材を構成している。
【００３７】
下部フレーム１９は、金属製の板状の部材を使用して略直方体状の箱状の形状に形成されている。そして、下部フレーム１９において、扉４と設置台１００の上面１００ａとの間の間隙に挿入される際に前方向Ｅ側となる前部部材１９ｅは少なくとも、化粧フレーム１３と同じ材料によって形成されている。前部部材１９ｅは、扉４と設置台１００の上面１００ａと化粧フレーム１３とによって形成される開口部１９ｈにほぼ整合する形状を有している。
【００３８】
さらに、下部フレーム１９において、開口部１９ｈに挿入される際に後方向Ｆ側となる後部部材１９ｆには、２つの磁石２０ａ及び２０ｂが取り付けられている。磁石２０ａは、下部フレーム１９の左方向Ｃ側の左側部部材１９ｃの近傍に設けられ、磁石２０ｂは、下部フレーム１９の右方向Ｄ側の右側部部材１９ｄの近傍に設けられている。
【００３９】
よって、下部フレーム１９は、開口部１９ｈに挿入されると、磁石２０ａ及び２０ｂの磁力によって、金属製の化粧フレーム１３に固定されると共に、開口部１９ｈを塞ぐ。そして、前方向Ｅ側から壁パネル２００、化粧フレーム１３及び飲料ディスペンサ１等を利用者が見たとき、図２に示すように、化粧フレーム１３及び下部フレーム１９が壁パネル２００と一体になり、さらに、壁パネル２００と一体となった化粧フレーム１３及び下部フレーム１９に飲料ディスペンサ１が一体に設けられている、すっきりしている印象が利用者に与えられる。
上述のようにして、ディスペンサ取付部１０１の各部材が壁パネル２００に設けられ、飲料ディスペンサ１が壁パネル２００及びディスペンサ取付部１０１に設けられる。
【００４０】
このように、この発明に係るディスペンサ取付部１０１は、脚部６を有する飲料ディスペンサ１を壁パネル２００のパネル開口部２００ａに設けるためのディスペンサ取付部１０１である。ディスペンサ取付部１０１は、壁パネル２００のパネル開口部２００ａに設けられる化粧フレーム１３を備え、化粧フレーム１３は、飲料ディスペンサ１の脚部６が挿入可能な凹部１３ｂｃ及び１３ｂｄをもつ下フレーム１３ｂを有する。
【００４１】
このとき、飲料ディスペンサ１の脚部６を、壁パネル２００に設けられた化粧フレーム１３における下フレーム１３ｂの凹部１３ｂｃ及び１３ｂｄに挿入することによって、飲料ディスペンサ１を所定位置へ容易に手早く位置決めすることができる。さらに、凹部１３ｂｃ及び１３ｂｄに挿入された脚部６は、凹部１３ｂｃ及び１３ｂｄによって拘束されてその移動が制限されるため、飲料ディスペンサ１の固定も同時に行うことができる。よって、飲料ディスペンサ１の所定位置への位置決めを容易にすると共に所定位置での固定を容易にすることが可能になる。
さらに、凹部１３ｂｃ及び１３ｂｄによって脚部６が位置決め・固定されることによって、脚部６を位置決め・固定するための位置決め部材を設置台１００に設ける必要がない。それによって、位置決め部材を設置台１００に固定するためのねじ止めが必要でなくなるため、設置台１００を傷つけることがなく、また、設置台１００の材料に、ねじ止めを容易にすることができない石材等の固い材質の材料を使用した場合であっても、飲料ディスペンサ１を固定することができる。
【００４２】
また、ディスペンサ取付部１０１は、上部押え部材１５、左側部押え部材１６及び右側部押え部材１７を備えている。そして、上部押え部材１５は、飲料ディスペンサ１の上面２ａに当接させて設けられて、飲料ディスペンサ１の上方への移動を阻止し、左側部押え部材１６及び右側部押え部材１７はそれぞれ、飲料ディスペンサ１の左面２ｃ及び右面２ｄに当接させて設けられて、飲料ディスペンサ１の側方への移動を阻止する。
【００４３】
これによって、飲料ディスペンサ１は、上部押え部材１５、左側部押え部材１６及び右側部押え部材１７により上方及び側方への移動が阻止されるため、飲料ディスペンサ１の移動により脚部６が化粧フレーム１３の下フレーム１３ｂの凹部１３ｂｃ及び１３ｂｄから逸脱することを防止することができる。従って、上部押え部材１５、左側部押え部材１６及び右側部押え部材１７を設けることによって、飲料ディスペンサ１をさらに強固に固定することが可能になり、例えば、地震などによる飲料ディスペンサ１の転倒を防止することができる。
さらに、組付け誤差等により飲料ディスペンサ１の本体２の外形寸法に誤差が生じた場合であっても、本体２より大きい化粧フレーム１３の開口部１３ｈに飲料ディスペンサ１を挿入することができ、さらに、飲料ディスペンサ１と開口部１３ｈとの間の隙間を、上部押え部材１５、左側部押え部材１６及び右側部押え部材１７によって塞ぐことができる。
【００４４】
また、ディスペンサ取付部１０１は、飲料ディスペンサ１の下部とパネル開口部２００ａとの間の間隙である開口部１９ｈを塞ぐ下部フレーム１９を備えている。さらに、上部押え部材１５は、飲料ディスペンサ１の上部とパネル開口部２００ａとの間の間隙を塞ぎ、左側部押え部材１６及び右側部押え部材１７はそれぞれ、飲料ディスペンサ１の側部とパネル開口部２００ａとの間の間隙を塞ぐ。
このとき、上部押え部材１５、左側部押え部材１６、右側部押え部材１７及び下部フレーム１９によって、飲料ディスペンサ１とパネル開口部２００ａとの間の間隙を塞ぐことができるため、パネル開口部２００ａを飲料ディスペンサ１より大きく形成することができる。それにより、飲料ディスペンサ１のパネル開口部２００ａへの設置をさらに容易にすることが可能になる。
【００４５】
また、実施の形態のディスペンサ取付部１０１の化粧フレーム１３において、上フレーム１３ａ、左フレーム１３ｃ及び右フレーム１３ｄは、Ｌ字状の断面形状を有する部材によって形成されていたが、これに限定されるものでなく、板部材によって形成されてもよい。
【００４６】
また、実施の形態のディスペンサ取付部１０１において、上部押え部材１５、左側部押え部材１６及び右側部押え部材１７は、壁パネル２００に取り付けられていたが、これに限定されるものでなく、化粧フレーム１３に取り付けられてもよい。すなわち、化粧フレーム１３において、上フレーム１３ａの外側表面１３ａ１、左フレーム１３ｃの外側表面１３ｃ１、及び右フレーム１３ｄの外側表面１３ｄ１が、壁パネル２００の後面２００ｆ側となるようにし、外側表面１３ａ１、外側表面１３ｃ１、及び外側表面１３ｄ１のそれぞれに、上部押え部材１５、左側部押え部材１６、及び右側部押え部材１７を取付・固定するようにしてもよい。
【００４７】
また、実施の形態では、ディスペンサとして粉末原料を冷水又は湯と混合した冷飲料又は温飲料を提供する飲料ディスペンサを使用していたが、これに限定されるものでなく、ディスペンサは、飲料及び氷の少なくとも一方を含むものを供給する飲料ディスペンサ、又は、氷のみを供給する氷ディスペンサであってもよい。
【符号の説明】
【００４８】
１  飲料ディスペンサ（ディスペンサ）、６  脚部、１３  化粧フレーム（枠部材）、１３ｂ  下フレーム（支持部材）、１３ｂｃ  凹部（穴部）、１３ｂｄ  凹部（穴部）、１５  上部押え部材、１６  左側部押え部材（側部押え部材）、１７  右側部押え部材（側部押え部材）、１９  下部フレーム（下部閉塞部材）、１０１  ディスペンサ取付部、２００  壁パネル（取付パネル）、２００ａ  パネル開口部。
【図１】
0005603654.tif 000002
【図２】
0005603654.tif 000003
【図３】
0005603654.tif 000004
【図４】
0005603654.tif 000005
【図５】
0005603654.tif 000006
【図６】
0005603654.tif 000007
【図７】
0005603654.tif 000008
【図８】
0005603654.tif 000009
【図９】
0005603654.tif 000010